(57)【要約】【課題】    本体材への取付け部片の取付けが、見栄えが良く、工具が不用で、かつ、容易に取付けることができ、その上、取付け部片の取外しが容易である本体材と取付け部片との取付け構造を提供する。【解決手段】    取付け面に取付け部片１０を装着するための装着孔２を有する本体材１に、取付け部片１０を着脱自在に装着する上記本体材１と取付け部片１０との取付け構造であり、取付け部片１０は、装着孔２内の対向位置に形成される係止部１ｂに、弾性変形して係止する弾性係止片１５を有する。上記取付け部片１０に設けられ装着孔２を覆う表面板１２に、弾性係止片１５の係止部１ｂに対する弾性的係止を離脱させる操作杆２０を挿入するための操作孔１２ｂを設ける。【選択図】        図２
2006265944.tif 000002
【特許請求の範囲】
【請求項１】
本体材における取付け部片の取付け面に設けた装着孔に上記取付け部片を装着する取付け部片の装着構造において、
上記取付け部片に、上記装着孔内の対向位置に形成した係止部に弾性的に係止する弾性係止片を設け、
上記装着孔を覆う取付け部片の表面板に、上記弾性係止片の上記係止部に対する弾性的な係止を離脱させる操作杆を挿入するための操作孔を設けた、
ことを特徴とする本体材に対する取付け部片の装着構造。
【請求項２】
本体材における上記取付け面が板状部材からなり、
上記係止部は、上記板状部材における装着孔内縁に構成され、
上記取付け部片は、その表面板の外周縁の上記係止部に対応する部位に、該係止部を覆う庇状部を有していて、該庇状部に上記操作孔が設けられ、
上記弾性係止片は、上記表面板の庇状部とで上記係止部を挟持する位置に設けられている、
ことを特徴とする請求項１に記載の本体材に対する取付け部片の装着構造。
【請求項３】
上記弾性係止片が、上記表面板側に位置して上記係止部を挟持する挟持部に、上記操作孔の中心付近まで突出する突部を有し、この突部を有する弾性係止片には、装着孔に取付け部片を押入する際に上記突部を上記係止部に係止できる位置まで後退させるテーパー部を設け、上記突部における操作孔中心に対応する部位に凹部を形成している、
ことを特徴とする請求項１または２に記載の本体材に対する取付け部片の装着構造。
【請求項４】
上記本体材が、家具または建具の固定枠または開閉用可動枠であり、  
上記取付け部片が、ラッチ用永久磁石の収容筺体である、
ことを特徴とする請求項１ないし３のいずれかに記載の本体材に対する取付け部片の装着構造。
【発明の詳細な説明】
【技術分野】
【０００１】
本発明は、例えば、家具や建具におけるラッチ取付部に適用するのに適した本体材に対する取付け部片の装着構造に関するものである。
【背景技術】
【０００２】
従来から、家具や建具等におけるラッチ取付部または扉におけるそれに対応する部位の一方に、マグネットラッチを取付け用ネジで固定し、他方に鉄片を固定して、これらを磁着させることより扉を閉止状態に保持させることが一般的に行われている。
しかしながら、マグネットラッチをネジ留めした場合には、ネジが目視されて見栄えが悪く、また、ネジ留めの工具が必要であるとともに、取付け作業が面倒であるというという問題があった。
そこで、マグネットラッチのラッチ取付部への装着を、上記ネジ留めに代えて、マグネットラッチが収容されている筺体に弾性変形する爪部を設け、ラッチ取付部に設けた装着孔内にその爪部を係止して固定することも行われているが、その爪部の係止を解除する手段がなく埋め殺しになっていた。これに伴い、一旦固定すると交換等のために取り外すことができず、また、廃棄の際には使用部品の分別が困難であり、リサイクルに支障をきたしていた（特許文献１）。
【０００３】
【特許文献１】特開平５−７９２３６号公報
【発明の開示】
【発明が解決しようとする課題】
【０００４】
本発明の技術課題は、上記問題を解決し、本体材への取付け部片の取付けが、見栄えが良く、工具が不用で、かつ、容易に取付けることができ、その上、取付け部片の取外しが容易である本体材に対する取付け部片の装着構造を提供することにある。
【課題を解決するための手段】
【０００５】
上記課題を解決するため、本発明は、本体材における取付け部片の取付け面に設けた装着孔に上記取付け部片を装着する取付け部片の装着構造において、上記取付け部片に、上記装着孔内の対向位置に形成した係止部に弾性的に係止する弾性係止片を設け、上記装着孔を覆う取付け部片の表面板に、上記弾性係止片の上記係止部に対する弾性的な係止を離脱させる操作杆を挿入するための操作孔を設けたことを特徴とするものである。
【０００６】
本発明の好ましい実施の形態においては、本体材における上記取付け面が板状部材からなり、上記係止部は、上記板状部材における装着孔内縁に構成され、上記取付け部片は、その表面板の外周縁の上記係止部に対応する部位に、該係止部を覆う庇状部を有していて、該庇状部に上記操作孔が設けられ、上記弾性係止片は、上記表面板の庇状部とで上記係止部を挟持する位置に設けられる。
【０００７】
本発明に係る装着構造の好ましい実施の形態においては、上記弾性係止片が、上記表面板側に位置して上記係止部を挟持する挟持部に、上記操作孔の中心付近まで突出する突部を有し、この突部を有する弾性係止片に、装着孔に取付け部片を押入する際に上記突部を上記係止部に係止できる位置まで後退させるテーパー部を設け、上記突部における操作孔中心に対応する部位に凹部が形成される。
また、本発明の装着構造においては、上記本体材を、家具または建具の固定枠または開閉用可動枠とし、上記取付け部片を、ラッチ用永久磁石の収容筺体とすることができる。
【発明の効果】
【０００８】
以上に詳述した本発明の本体材に対する取付け部片の装着構造によれば、本体材への取付け部片の装着において、見栄えが良いとともに、取付け工具が不用で、かつ、容易に取付けることができ、特に、その取付け部片の取外しが容易になる。
【発明を実施するための最良の形態】
【０００９】
以下に、図面に示す実施例に基づいて本発明を詳細に説明する。
図示した実施例は、本発明に係る装着構造を、建物開口部に装着される建具枠におけるラッチ装置の取り付けに適用したものである。
図１は、上記建具枠を構成する本体材１に、ラッチ装置の一部である永久磁石の収容筺体を構成する取付け部片１０を装着した状態を示し、図２はその装着前の状態を示している。
【００１０】
上記本体材１は、中空の枠材によって形成され、この本体材１における取付け部片１０の取付け面１ａは板状部材からなり、その取付け面１ａには長方形状の装着孔２（図２参照）が設けられ、この装着孔２に装着する取付け部片１０は、図２に示すように、装着孔２に対応する外形の筺状部１１を有していて、その内部にラッチ用永久磁石１８（図４参照）を収容し、その筺状部１１は取付け部片１０の表面を形成する表面板１２と合成樹脂で一体に成形し、該表面板１２から上記永久磁石１８の着磁面１８ａを露出させている。
【００１１】
上記表面板１２は、装着孔２の開口面積より広く形成されて、装着孔２を完全に覆っている。そして、上記本体材１における装着孔２内の長手方向両端内縁の対向位置は、取付け部片１０を係止するための後述する係止部１ｂ，１ｂとしている。また、上記表面板１２は、その長手方向両端の外周縁の上記係止部１ｂ，１ｂに対応する部位が、これらの係止部１ｂ，１ｂの表面に接してそれを覆う庇状部１２ａ，１２ａ（図４も併せて参照）となっている。そして、この表面板１２の庇状部１２ａ，１２ａには、操作杆２０（図５参照）を挿通する操作孔１２ｂ，１２ｂが設けられている。
【００１２】
図４に示すように、上記取付け部片１０には、筺状部１１の内部に上記永久磁石１８が収容され、該筺状部１１の長手方向両端部近傍の肉厚壁部１３，１３には、それぞれ、それらの外面側に表面板１２に向って延びる弾性係止片１５を、その弾性変形を可能にする変形代１４を設けて立設されている。この弾性係止片１５は、上記装着孔２の孔縁に形成した前記係止部１ｂに弾性的に係止するものである。
【００１３】
この弾性係止片１５，１５は、表面板１２側に位置して庇状部１２ａとの間に係止部１ｂを挟持する先端の挟持部１５ａに、上記操作孔１２ｂの中心付近まで突出する突部１５ｂを有している。該突部１５ｂを含む挟持部１５ａの先端は、上記係止部１ｂの裏面に接触するように形成され、また、この突部１５ｂを有する弾性係止片１５には、本体材１の装着孔２に取付け部片１０を押入する際に上記突部１５ｂを上記係止部１ｂに係止できる位置まで後退させるためのテーパー部１５ｃを設け、上記突部１５ｂにおける操作孔１２ｂの中心に対応する部位には、図３に示すように、凹部１５ｄを形成している。
【００１４】
上記装着孔２を覆う取付け部片１０の表面板１２に設けた前記操作孔１２ｂは、上記弾性係止片１５の上記係止部１ｂに対する弾性的な係止を離脱させる操作杆２０を挿入するためのものである。
なお、図２に示すように、前記本体材１の係止部１ｂ，１ｂには、上記操作孔１２ｂに対応する位置に凹部１ｃを設けているが、上記突部１５ｂにおける凹部１５ｄとともに、後述する取付け部材１０の取り外し作業に際してそれらの必要がなければ、設ける必要はない。
【００１５】
上述のように構成された本体材１と取付け部片１０とは、装着孔２に取付け部片１０をその底部から挿入すると、係止部１ｂの端縁で弾性係止片１５のテーパー部１５ｃが押圧されて弾性係止片１５が変形代１４の方向に弾性変形したうえで、突部１５ｂの先端が係止部１ｂの端縁を越えると弾性係止片１５の変形が元に戻り、図４に示すように取付け部片１０はその表面板１２と弾性係止片１５とで係止部１ｂを挟持する状態になって、本体材１に取り付けられる。
そして、このように取り付けられた本体材１と取付け部片１０とは、破壊しない限り分離することができなくなる。
【００１６】
図５の（ａ）〜（ｃ）は、上述のようにして装着された取付け部片１０を本体材１から取外す方法を示すもので、上記本体材１と取付け部片１０とは、操作杆２０を用いることにより容易に分離することができる。
上記操作杆２０は、その先端が尖った棒材であり、図５（ａ）に示す分離過程の第１段階において、この操作杆２０を矢印方向から上記操作孔１２ｂに挿通すると、該操作杆２０の先端２０ａは弾性係止片１５の突部１５ｂの先端に接する位置に達し、そして、該突部１５ｂの先端には凹部１５ｄがあり、この操作杆２０の先端２０ａが該凹部１５ｄの中に挿入されるので、操作杆２０が正確に位置決めされる。
【００１７】
操作杆２０をさらに挿入する図５（ｂ）の第２段階では、突部１５ｂを介して弾性係止片１５を変形代１４内に弾性変形させるので、本体材１の係止部１ｂと取付け部片１０の弾性係止片１５との係止状態は完全に解除される。
そこで、図５（ｃ）に示す第３段階において、操作杆２０を取付け部片１０とともに矢印方向に引き上げ、本体材１から引き抜くと、取付け部片１０を本体材１から容易に取外すことができる。
【００１８】
本発明は上述の実施例に限らず、特許請求の範囲を逸脱しない範囲において、種々の構成を採ることができる。
例えば、上記実施例は、建具の固定枠または開閉用可動枠にラッチ装置を装着する場合に本発明を適用したものであるが、これに限らず、家具等におけるラッチ装置の装着に適用することもできる。
【図面の簡単な説明】
【００１９】
【図１】本発明の実施例における本体材に取付け部片を装着した状態を示す斜視図である。
【図２】図１の分解斜視図である。
【図３】上記実施例における取付け部片の平面図である。
【図４】同取付け部片を本体材に装着した状態を示す断面図である。
【図５】（ａ）は、本体材から取付け部片を取り外す過程の第１段階を、（ｂ）は、同第２段階を、（ｃ）は、同第３段階を示す断面図である。
【符号の説明】
【００２０】
１            本体材
１ａ          取付け面
１ｂ          係止部
２            装着孔
１０          取付け部片
１２          表面板
１２ａ        庇状部
１２ｂ        操作孔
１５          弾性係止片
１５ａ        挟持部
１５ｂ        突部
１５ｃ        テーパー部
１５ｄ        凹部
１８          永久磁石
２０          操作杆
【図１】
2006265944.tif 000003
【図２】
2006265944.tif 000004
【図３】
2006265944.tif 000005
【図４】
2006265944.tif 000006
【図５】
2006265944.tif 000007